(57)【要約】      （修正有）【課題】バイアス電源の出力電圧の極性を切り替える場合における切り替え時間を短縮して画像形成の速度を向上させた画像形成装置等を提供する。【解決手段】画像形成装置の備える転写バイアス電源２７は、負電圧の転写バイアスを生成する負電圧生成部２００と、正電圧の非転写バイアスを生成する正電圧生成部２１０と、出力Ｏｎ／Ｏｆｆ判定回路２２０、デットタイム制御（ＤＴＣ）回路２３０、切替回路２４０を備えている。ＤＴＣ回路２３０は、出力電圧Ｖｏｕｔが正電圧から負電圧に緩やかに変化するように制御回路２０２を制御する。一方、切替回路２４０は、極性切替信号Ｓ２０を受信し、転写バイアス電源２７の出力電圧Ｖｏｕｔが負電圧から正電圧に切り替わる場合に、制御回路２０２の動作を停止させる。【選択図】図３
2014016479.tif 000002
【特許請求の範囲】
【請求項１】
像保持体と、
前記像保持体を帯電する帯電手段と、
前記像保持体を露光し、当該像保持体に静電潜像を形成する露光手段と、
前記露光手段により露光され前記像保持体に形成された前記静電潜像を現像する現像手段と、
前記現像された画像を被転写体に転写しない非転写電界を生成する第１の電源部と、当該非転写電界とは異なる極性であって、当該現像された画像を当該被転写体に転写する転写電界を生成する第２の電源部と、予め定められた第１の時定数を有し、当該非転写電界から当該転写電界に切り替える場合に、当該第１の時定数に基づいて当該第２の電源部からの当該転写電界の供給の開始を制御する第１の切替制御部と、当該第１の時定数より小さい第２の時定数を有し、当該転写電界から当該非転写電界に切り替える場合に、当該第２の時定数に基づいて当該第２の電源部からの当該転写電界の供給の停止を制御する第２の切替制御部と、を備えた転写バイアス電源を備え、当該現像された画像を当該被転写体に転写する転写手段と
を備える画像形成装置。
【請求項２】
第１の極性の電圧を負荷に供給する第１の電源部と、
前記第１の極性と異なる第２の極性の電圧を前記負荷に供給する第２の電源部と、
予め定められた第１の時定数を有し、前記負荷に供給する電圧を前記第１の極性の電圧から前記第２の極性の電圧に切り替える場合に、当該第１の時定数に基づいて前記第２の電源部からの当該第２の極性の電圧の供給の開始を制御する第１の切替制御部と、
前記第１の時定数より小さい第２の時定数を有し、前記負荷に供給する電圧を前記第２の極性の電圧から前記第１の極性の電圧に切り替える場合に、当該第２の時定数に基づいて前記第２の電源部からの当該第２の極性の電圧の供給の停止を制御する第２の切替制御部と
を備えるバイアス電源装置。
【請求項３】
前記第１の極性の電圧の絶対値が、前記第２の極性の電圧の絶対値より小さいことを特徴とする請求項２に記載のバイアス電源装置。
【請求項４】
前記第２の電源部は、パルス幅変調信号によりスイッチングされるスイッチ素子を備え、
前記第２の切替制御部は、前記負荷に供給する電圧を前記第２の極性の電圧から前記第１の極性の電圧に切り替える場合に、前記パルス幅変調信号を停止させることにより、前記第２の電源部からの当該第２の極性の電圧の供給を停止させることを特徴とする請求項２または３に記載のバイアス電源装置。
【発明の詳細な説明】
【技術分野】
【０００１】
本発明は、画像形成装置およびバイアス電源装置に関する。
【背景技術】
【０００２】
公報記載の従来技術として、第１の電源回路の出力側にバイパス抵抗を並列に接続した回路と、第１の電源回路と極性が異なる第２の電源回路の出力側にバイパス抵抗を並列に接続した回路とを各バイパス抵抗が直列になるように接続し、第１の電源回路及び第２の電源回路から選択的に出力させる電源装置において、第１の電源回路及び第２の電源回路の一方に設けられたバイパス抵抗をラッシュ電流防止と逆バイアスディスチャージ抵抗とで構成し、第１の電源回路及び第２の電源回路の他方から出力されているときに前記逆バイアスディスチャージ抵抗を短絡するスイッチング手段を設けた電源装置が存在する（特許文献１参照）。
【０００３】
また、他の公報記載の従来技術として、トランスを備え、第１の制御信号に基づいて電圧の値が制御される第１の電圧を出力する第１の電源回路と、前記第１の電圧と極性が異なり、第２の制御信号に基づいて電圧の値が制御される第２の電圧を出力する第２の電源回路と、前記トランスの一次側に加わる電圧をスイッチングするスイッチング素子と、前記スイッチング素子のスイッチング動作を制御する制御回路とを備え、極性切換信号に基づき、前第１の電圧の出力から前記第２の電圧の出力への切換が行われ、前記切換時において、前記極性切換信号に基づき前記制御回路の動作の停止が行われる電源装置が存在する（特許文献２参照）。
【先行技術文献】
【特許文献】
【０００４】
【特許文献１】特許第３７２１８２５号公報
【特許文献２】特開２０１０−１６１８３６号公報
【発明の概要】
【発明が解決しようとする課題】
【０００５】
本発明の目的は、バイアス電源の出力電圧の極性を切り替える場合における切り替え時間を短縮して画像形成の速度を向上させた画像形成装置等を提供することにある。
【課題を解決するための手段】
【０００６】
請求項１に記載の発明は、像保持体と、前記像保持体を帯電する帯電手段と、前記像保持体を露光し、当該像保持体に静電潜像を形成する露光手段と、前記露光手段により露光され前記像保持体に形成された前記静電潜像を現像する現像手段と、前記現像された画像を被転写体に転写しない非転写電界を生成する第１の電源部と、当該非転写電界とは異なる極性であって、当該現像された画像を当該被転写体に転写する転写電界を生成する第２の電源部と、予め定められた第１の時定数を有し、当該非転写電界から当該転写電界に切り替える場合に、当該第１の時定数に基づいて当該第２の電源部からの当該転写電界の供給の開始を制御する第１の切替制御部と、当該第１の時定数より小さい第２の時定数を有し、当該転写電界から当該非転写電界に切り替える場合に、当該第２の時定数に基づいて当該第２の電源部からの当該転写電界の供給の停止を制御する第２の切替制御部と、を備えた転写バイアス電源を備え、当該現像された画像を当該被転写体に転写する転写手段とを備える画像形成装置である。
請求項２に記載の発明は、第１の極性の電圧を負荷に供給する第１の電源部と、前記第１の極性と異なる第２の極性の電圧を前記負荷に供給する第２の電源部と、予め定められた第１の時定数を有し、前記負荷に供給する電圧を前記第１の極性の電圧から前記第２の極性の電圧に切り替える場合に、当該第１の時定数に基づいて前記第２の電源部からの当該第２の極性の電圧の供給の開始を制御する第１の切替制御部と、前記第１の時定数より小さい第２の時定数を有し、前記負荷に供給する電圧を前記第２の極性の電圧から前記第１の極性の電圧に切り替える場合に、当該第２の時定数に基づいて前記第２の電源部からの当該第２の極性の電圧の供給の停止を制御する第２の切替制御部とを備えるバイアス電源装置である。
請求項３に記載の発明は、前記第１の極性の電圧の絶対値が、前記第２の極性の電圧の絶対値より小さいことを特徴とする請求項２に記載のバイアス電源装置である。
請求項４に記載の発明は、前記第２の電源部は、パルス幅変調信号によりスイッチングされるスイッチ素子を備え、前記第２の切替制御部は、前記負荷に供給する電圧を前記第２の極性の電圧から前記第１の極性の電圧に切り替える場合に、前記パルス幅変調信号を停止させることにより、前記第２の電源部からの当該第２の極性の電圧の供給を停止させることを特徴とする請求項２または３に記載のバイアス電源装置である。
【発明の効果】
【０００７】
請求項１の発明によれば、第１の切替制御部および第２の切替制御部を備えない場合に比べ、バイアス電源の出力電圧の極性を切り替える場合における切り替え時間を短縮して画像形成の速度が向上する。
請求項２の発明によれば、第１の切替制御部および第２の切替制御部を備えない場合に比べ、出力電圧の極性を切り替える際における切り替え時間が短縮できる。
請求項３の発明によれば、本構成を採用しない場合に比較して、出力電圧の極性を切り替える場合における切り替え時間がより抑制できる。
請求項４の発明によれば、本構成を採用しない場合に比較して、出力電圧の制御が容易にできる。
【図面の簡単な説明】
【０００８】
【図１】本実施の形態における画像形成装置の一例を示す概略構成図である。
【図２】中間転写ベルト上のトナー像および試験トナー像を説明する図である。
【図３】本実施の形態における転写バイアス電源の回路ブロックおよび回路構成の一例を示す図である。
【図４】転写バイアス電源の動作を説明するタイミングチャートである。
【図５】本実施の形態を用いない転写バイアス電源の回路ブロックおよび回路構成を説明する図である。
【図６】本実施の形態を用いない転写バイアス電源の動作を説明するタイミングチャートである。
【発明を実施するための形態】
【０００９】
［画像形成装置１］
図１は本実施の形態における画像形成装置１の一例を示す概略構成図である。図１に示す画像形成装置１は、一般にタンデム型と呼ばれる中間転写方式の画像形成装置であって、電子写真方式により各色成分のトナー像が形成される複数の画像形成ユニット２Ｙ、２Ｍ、２Ｃ、２Ｋ、各画像形成ユニット２Ｙ、２Ｍ、２Ｃ、２Ｋにより形成された各色（成分）のトナー像（画像）を被転写体の一例としての中間転写ベルト１５に順次転写（一次転写）させる転写手段の一例としての一次転写部１０、中間転写ベルト１５上に転写されたトナー画像（各色のトナー像が重畳されたトナー像（画像））を被転写体の他の一例としての用紙Ｐに一括転写（二次転写）させる転写手段の他の一例としての二次転写部２０、二次転写された画像を用紙Ｐ上に定着させる定着部６０を備えている。また、各装置（各部）の動作を制御する制御部４０を有している。
【００１０】
本実施の形態において、各画像形成ユニット２Ｙ、２Ｍ、２Ｃ、２Ｋは、矢印Ａ方向に回転する像保持体の一例としての感光体ドラム１１の周囲に、これらの感光体ドラム１１を帯電する帯電手段の一例としての帯電器１２、感光体ドラム１１上に静電潜像を書込む露光手段の一例としてのレーザ露光器１３（図中露光ビームを符号Ｂｍで示す。）、各色（成分）のトナーが収容されて感光体ドラム１１上の静電潜像をトナーにより可視画像化する現像手段の一例としての現像器１４、感光体ドラム１１上に形成された各色のトナー像を一次転写部１０にて中間転写ベルト１５に転写する一次転写ロール１６、感光体ドラム１１上の残留トナーが除去されるドラムクリーナ１７、などの電子写真用デバイスが順次配設されている。これらの画像形成ユニット２Ｙ、２Ｍ、２Ｃ、２Ｋは、中間転写ベルト１５の上流側から、イエロー（Ｙ）、マゼンタ（Ｍ）、シアン（Ｃ）、黒（Ｋ）の順に配置されている。
【００１１】
中間転写体である中間転写ベルト１５は、ポリイミドあるいはポリアミド等の樹脂にカーボンブラック等の帯電防止剤を適当量含有させたフィルム状の無端ベルトで構成されている。そして、その体積抵抗率は１０６〜１０１４Ωｃｍとなるように形成されており、その厚みは例えば０．１ｍｍ程度に構成されている。中間転写ベルト１５は、各種ロールによって図１に示す矢印Ｂ方向に予め定められた速度で循環駆動（回転）されている。この各種ロールとしては、定速性に優れたモータ（不図示）により駆動されて中間転写ベルト１５を回転させる駆動ロール３１、各感光体ドラム１１の配列方向に沿って直線状に延びる中間転写ベルト１５を支持する支持ロール３２、中間転写ベルト１５に対して一定の張力を与えると共に中間転写ベルト１５の蛇行を防止する補正ロールとして機能するテンションロール３３、二次転写部２０に設けられるバックアップロール２５、中間転写ベルト１５上の残留トナーを掻き取るクリーニングバックアップロール３４が配設されている。
【００１２】
一次転写部１０は、中間転写ベルト１５を挟んで感光体ドラム１１に対向して配置される一次転写ロール１６で構成されている。一次転写ロール１６は、シャフトと、シャフトの周囲に固着された弾性体層としてのスポンジ層とで構成されている。シャフトは鉄、ＳＵＳ等の金属で構成された円柱棒である。スポンジ層はカーボンブラック等の導電剤を配合したＮＢＲとＳＢＲとＥＰＤＭとのブレンドゴムで形成され、体積抵抗率が１０７〜１０９Ωｃｍのスポンジ状の円筒ロールである。そして、一次転写ロール１６は中間転写ベルト１５を挟んで感光体ドラム１１に圧接配置されている。
さらに一次転写ロール１６にはトナーの帯電極性（ここでは、例として負極性とする。）と逆極性の電圧（一次転写バイアス）が印加されるようになっている。これにより、各々の感光体ドラム１１上のトナー像が中間転写ベルト１５に順次、静電吸引され、中間転写ベルト１５上に重畳トナー像（後述する図２におけるトナー像１０１ａ、１０１ｂ）が形成される。
【００１３】
二次転写部２０は、中間転写ベルト１５を挟んでバックアップロール２５に対向して配置された二次転写ロール２２で構成されている。二次転写ロール２２は、トナー像保持面側に配置され、接地（ＧＮＤ）されている。バックアップロール２５には、金属製の給電ロール２６が接触して配置されている。そして、給電ロール２６に接続して、二次転写バイアスを供給するようにバイアス電源装置の一例としての転写バイアス電源２７が設けられている。
転写バイアス電源２７は二次転写バイアスを生成し、生成した二次転写バイアスを、負荷の一例としての給電ロール２６を介してバックアップロール２５に安定的に印加する。
【００１４】
このバックアップロール２５は、表面がカーボンを分散したＥＰＤＭとＮＢＲとのブレンドゴムのチューブ、内部がＥＰＤＭゴムで構成されている。そして、その表面抵抗率が１０７〜１０１０Ω／□となるように形成され、硬度は例えば７０°（アスカーＣ）に設定される。
【００１５】
一方、二次転写ロール２２は、シャフトと、シャフトの周囲に固着された弾性体層としてのスポンジ層とで構成されている。シャフトは鉄、ＳＵＳ等の金属で構成された円柱棒である。スポンジ層はカーボンブラック等の導電剤を配合したＮＢＲとＳＢＲとＥＰＤＭとのブレンドゴムで形成され、体積抵抗率が１０７〜１０９Ωｃｍのスポンジ状の円筒ロールである。そして、二次転写ロール２２は中間転写ベルト１５を挟んでバックアップロール２５に圧接配置され、転写ニップ域を形成している。
そして、二次転写ロール２２は接地（ＧＮＤ）されて、バックアップロール２５との間に二次転写バイアスが形成され、二次転写部２０の転写ニップ域に搬送される用紙Ｐ上にトナー像を二次転写する。
【００１６】
また、中間転写ベルト１５の二次転写部２０の下流側には、二次転写後の中間転写ベルト１５上の残留トナーや紙粉を除去し、中間転写ベルト１５の表面をクリーニングする中間転写ベルトクリーナ３５が接離自在に設けられている。一方、イエローの画像形成ユニット２Ｙの上流側には、各画像形成ユニット２Ｙ、２Ｍ、２Ｃ、２Ｋにおける画像形成タイミングをとるための基準となる基準信号を発生する基準センサ（ホームポジションセンサ）４２が配設されている。また、黒の画像形成ユニット２Ｋの下流側には、画質調整を行うための画像濃度センサ４３が配設されている。
この基準センサ４２は、中間転写ベルト１５の裏側に設けられた予め定められたマークを認識して基準信号を発生しており、この基準信号の認識に基づく制御部４０からの指示により、各画像形成ユニット２Ｙ、２Ｍ、２Ｃ、２Ｋは画像形成を開始するように構成されている。
そして、画像濃度センサ４３は、濃度制御用の試験トナー像（後述する図２における試験トナー像１０２ａ、１０２ｂ）を検出する。画像濃度センサ４３によって検出された試験トナー像の検出結果に基づいて、画像形成ユニット２Ｙ、２Ｍ、２Ｃ、２Ｋの動作条件の調整が行われ、形成されるトナー像の濃度が調整される。
【００１７】
さらに、本実施の形態における画像形成装置では、用紙搬送系として、用紙Ｐを収容する用紙供給手段５０、この用紙供給手段５０に集積された用紙Ｐを予め定められたタイミングで取り出して搬送するピックアップロール５１、ピックアップロール５１により繰り出された用紙Ｐを搬送する搬送ロール５２、搬送ロール５２により搬送された用紙Ｐを二次転写部２０へと送り込む用紙搬送路５３、二次転写ロール２２により二次転写された後に搬送される用紙Ｐを定着部６０へと搬送する搬送ベルト５５、用紙Ｐを定着部６０に導く定着入口ガイド５６を備えている。
【００１８】
定着部６０は、ハロゲンランプ等の加熱源を内蔵する加熱ロール６１と、この加熱ロール６１に押し当てられる加圧ロール６２とを備えており、これら加熱ロール６１と加圧ロール６２との間に形成される定着ニップ域にトナー像が転写された用紙Ｐを通過させることで、定着を行うようになっている。
【００１９】
次に、本実施の形態における画像形成装置１の基本的な作像プロセスについて説明する。図１に示すような画像形成装置１では、図示しない画像読取装置や図示しないパーソナルコンピュータ（ＰＣ）等から出力される画像データは、図示しない画像処理装置により予め定められた画像処理が施された後、画像形成ユニット２Ｙ、２Ｍ、２Ｃ、２Ｋによって作像作業が実行される。画像処理装置では、入力された反射率データに対して、シェーディング補正、位置ズレ補正、明度／色空間変換、ガンマ補正、枠消しや色編集、移動編集等の各種画像編集等の予め定められた画像処理が施される。画像処理が施された画像データは、Ｙ、Ｍ、Ｃ、Ｋの４色の色材階調データに変換され、レーザ露光器１３に出力される。
【００２０】
レーザ露光器１３では、入力された色材階調データに応じて、例えば半導体レーザから出射された露光ビームＢｍを画像形成ユニット２Ｙ、２Ｍ、２Ｃ、２Ｋの各々の感光体ドラム１１に照射している。画像形成ユニット２Ｙ、２Ｍ、２Ｃ、２Ｋの各感光体ドラム１１では、帯電器１２によって表面が帯電された後、このレーザ露光器１３によって表面が走査露光され、静電潜像が形成される。形成された静電潜像は、各々の画像形成ユニット２Ｙ、２Ｍ、２Ｃ、２Ｋの現像器１４によって、Ｙ、Ｍ、Ｃ、Ｋの各色のトナー像として現像される。
【００２１】
画像形成ユニット２Ｙ、２Ｍ、２Ｃ、２Ｋの感光体ドラム１１上に形成された各色のトナー像は、各感光体ドラム１１と中間転写ベルト１５とが接触する一次転写部１０において、中間転写ベルト１５上に転写される。より具体的には、一次転写部１０において、一次転写ロール１６により中間転写ベルト１５の基材に対しトナーの帯電極性と逆極性（正極性）の電圧（一次転写バイアス）が付加され、トナー像を中間転写ベルト１５の表面に順次重ね合わせて一次転写が行われる。
【００２２】
トナー像が中間転写ベルト１５の表面に順次一次転写された後、中間転写ベルト１５は移動してトナー像が二次転写部２０に搬送される。トナー像が二次転写部２０に搬送されると、用紙搬送系では、トナー像が二次転写部２０に搬送されるタイミングに合わせてピックアップロール５１が回転し、用紙供給手段５０から予め定められたサイズの用紙Ｐが供給される。ピックアップロール５１により供給された用紙Ｐは、搬送ロール５２により搬送され、用紙搬送路５３を経て二次転写部２０に到達する。この二次転写部２０に到達する前に、用紙Ｐは一旦停止され、トナー像が保持された中間転写ベルト１５の移動タイミングに合わせてレジストロール（不図示）が回転することで、用紙Ｐの位置とトナー像の位置との位置合わせがなされる。
【００２３】
二次転写部２０では、中間転写ベルト１５を介して、二次転写ロール２２がバックアップロール２５に押圧される。このとき、タイミングを合わせて搬送された用紙Ｐは、中間転写ベルト１５と二次転写ロール２２との間（転写ニップ域）に挟み込まれる。その際に、転写バイアス電源２７から、給電ロール２６を介してバックアップロール２５に、トナーの帯電極性と同極性（負極性）の電圧（負電圧の転写電界（転写バイアス））が印加される。すると、二次転写ロール２２とバックアップロール２５との間に転写電界が形成される。そして、中間転写ベルト１５上に保持された未定着のトナー像は、二次転写ロール２２とバックアップロール２５とによって押圧される二次転写部２０において、用紙Ｐ上に一括して静電転写される。
【００２４】
なお、後に詳述するが、中間転写ベルト１５上に保持された試験トナー像は、用紙Ｐに静電転写しない。よって、転写バイアス電源２７から、給電ロール２６を介してバックアップロール２５にトナーの帯電極性と逆極性（正極性）の電圧（正電圧の非転写電界（非転写バイアス））を印加し、試験トナー像を形成するトナーが二次転写ロール２２に付着するのを抑制する。すなわち、転写バイアス電源２７は、正極性の電圧（正電圧）と負極性の電圧（負電圧）とを切り替えて出力する。
ここで、正電圧が第１の極性の電圧の一例であり、負電圧が第２の極性の電圧の一例である。
【００２５】
その後、トナー像が静電転写された用紙Ｐは、二次転写ロール２２によって中間転写ベルト１５から剥離された状態でそのまま搬送され、二次転写ロール２２の用紙搬送方向下流側に設けられた搬送ベルト５５へと搬送される。搬送ベルト５５では、定着部６０における搬送速度に合わせて、用紙Ｐを最適な搬送速度で定着部６０まで搬送する。定着部６０に搬送された用紙Ｐ上の未定着トナー像は、定着部６０によって熱および圧力による定着処理を受けることで用紙Ｐ上に定着される。そして定着画像が形成された用紙Ｐは、画像形成装置１の排出部に設けられた排紙収納部（不図示）に搬送される。
一方、用紙Ｐへの転写が終了した後、中間転写ベルト１５上に残った残留トナー（試験トナー像を含む）は、中間転写ベルト１５の回転に伴って搬送され、クリーニングバックアップロール３４および中間転写ベルトクリーナ３５によって中間転写ベルト１５上から除去される。
【００２６】
［トナー像１０１ａ、１０１ｂおよび試験トナー像１０２ａ、１０２ｂ］
図２は、中間転写ベルト１５上のトナー像１０１ａ、１０１ｂおよび試験トナー像１０２ａ、１０２ｂを説明する図である。図２は、図１に示した二次転写部２０において、二次転写ロール２２側から見た中間転写ベルト１５の一部を示している。中間転写ベルト１５は矢印Ｂ方向に移動する。
【００２７】
まず、図１で示した画像形成ユニット２Ｙ、２Ｍ、２Ｃ、２Ｋにおけるそれぞれの一次転写部１０において、それぞれの感光体ドラム１１に形成された各色のトナー像が、中間転写ベルト１５上で重畳されてトナー像１０１ａが形成される。その後、トナー像１０１ａと同様に、画像形成ユニット２Ｙ、２Ｍ、２Ｃ、２Ｋにおけるそれぞれの一次転写部１０において、それぞれの感光体ドラム１１に形成された各色の試験トナー像、中間転写ベルト１５上で重畳されて試験トナー像１０２ａ、１０２ｂが形成される。その後、再び画像形成ユニット２Ｙ、２Ｍ、２Ｃ、２Ｋにおけるそれぞれの一次転写部１０において、それぞれの感光体ドラム１１に形成された各色のトナー像が、中間転写ベルト１５上に重畳されてトナー像１０１ｂが形成される。ここでは、トナー像１０１ａ、１０１ｂを区別しないときはトナー像１０１と、試験トナー像１０２ａ、１０２ｂをそれぞれ区別しないときは試験トナー像１０２と表記する。
【００２８】
以上説明したように、本実施の形態における画像形成装置１では、中間転写ベルト１５上にトナー像１０１と試験トナー像１０２とが交互に繰り返して形成される。
ここでは、２個の試験トナー像１０２ａ、１０２ｂを中間転写ベルト１５の移動方向（矢印Ｂ方向）と直交する方向に並行して設けている。しかし、試験トナー像１０２は１個でもよく、中間転写ベルト１５の移動方向（矢印Ｂ方向）にずれて設けられていてもよい。試験トナー像１０２は、画像濃度センサ４３による検出結果に基づいて、画像形成ユニット２Ｙ、２Ｍ、２Ｃ、２Ｋで形成されるトナー像の濃度が調整できればよい。
【００２９】
さて、中間転写ベルト１５の移動タイミングに合わせてレジストロール（不図示）が回転することで、用紙Ｐの位置とトナー像１０１の位置との位置合わせがなされる。そして、トナー像１０１ａ、１０１ｂが、順に搬送されてきた用紙Ｐにそれぞれ転写される。しかし、試験トナー像１０２ａ、１０２ｂは、用紙Ｐに転写しない。
よって、トナー像１０１ａ、１０１ｂに対しては、給電ロール２６を介して負電圧の転写バイアスをバックアップロール２５に印加し、トナー像１０１ａ、１０１ｂが用紙Ｐに転写されるようにする。一方、試験トナー像１０２ａ、１０２ｂに対しては、給電ロール２６を介して正電圧の非転写バイアスをバックアップロール２５に印加する。
【００３０】
なお、トナーの帯電極性が正極性である場合には、トナー像１０１ａ、１０１ｂに対しては、給電ロール２６を介して正電圧の転写バイアスをバックアップロール２５に印加し、試験トナー像１０２ａ、１０２ｂに対しては、給電ロール２６を介して負電圧の非転写バイアスをバックアップロール２５に印加する。
【００３１】
そして、トナー像１０１ａと試験トナー像１０２ａ、１０２ｂとの間の領域αにおいて、転写バイアス電源２７は、出力電圧（図３における出力電圧Ｖｏｕｔ）を負電圧の転写バイアスから正電圧の非転写バイアスに切り替える。試験トナー像１０２ａ、１０２ｂとトナー像１０１ｂとの間の領域βにおいて、転写バイアス電源２７は、出力電圧を正電圧の非転写バイアスから負電圧の転写バイアスに切り替える。
なお、画像形成装置１の高速化には、領域αおよび領域βにおける出力電圧の切り替えに要する時間を短く（抑制）することが求められる。
【００３２】
［転写バイアス電源２７の回路ブロック］
図３は、本実施の形態における転写バイアス電源２７の回路ブロックおよび回路構成の一例を示す図である。
転写バイアス電源２７は、図３において一点鎖線で囲んで示すように、第２の電源部の一例としての負極性の転写バイアスを生成する負電圧生成部２００と、第１の電源部の一例としての正極性の非転写バイアスを生成する正電圧生成部２１０と、出力Ｏｎ／Ｏｆｆ判定回路２２０、第１の切替制御部の一例としてのデットタイム制御（ＤＴＣ）回路２３０、第２の切替制御部の一例としての切替回路２４０を備えている。
【００３３】
まず、転写バイアス電源２７の回路ブロックの構成を説明する。
負電圧生成部２００は、回路ブロックとして、アナログ変換回路２０１、制御回路２０２、駆動回路２０３、トランス２０４、整流回路２０５、出力電圧検知回路２０６、出力電流検知回路２０７を備えている。
そして、負電圧生成部２００は、負極性の転写バイアスを生成する。
【００３４】
これに対し、正電圧生成部２１０は、回路ブロックとして、制御回路２１１、駆動回路２１２、トランス２１３、整流回路２１４を備えている。
そして、正電圧生成部２１０は、正極性の非転写バイアスを生成する。
【００３５】
図３に示すように、負電圧生成部２００の整流回路２０５と正電圧生成部２１０の整流回路２１４とが直列に接続されている。よって、負電圧生成部２００の発生する負電圧（転写バイアス）と正電圧生成部２１０の発生する正電圧（非転写バイアス）とが切り替えられて給電ロール２６に供給されるようになっている。
【００３６】
本実施の形態では、図３で示すリモート信号Ｓ１０は、負電圧生成部２００が出力する負電圧（転写バイアス）の値を設定するパルス幅変調（ＰＷＭ）された信号（パルス幅変調信号）である。リモート信号Ｓ１０は、ハイレベル（以下、「Ｈ」で表記する。）とローレベル（以下、「Ｌ」で表記する。）との二つの電圧レベルを有する信号である。そして、リモート信号Ｓ１０は、転写バイアス電源２７が負電圧を出力する場合に、「Ｌ」と「Ｈ」とを振幅とするＰＭＷ信号となり、正電圧を出力する場合に、「Ｌ」になるとする。なお、後述するように、リモート信号Ｓ１０は、後述する極性切替信号Ｓ２０に追従して変化しない場合があるとする。リモート信号Ｓ１０は、制御部４０によって転写バイアス電源２７に送信される。
【００３７】
極性切替信号Ｓ２０は、転写バイアス電源２７の出力電圧Ｖｏｕｔの極性を切り替える信号である。極性切替信号Ｓ２０が「Ｈ」から「Ｌ」へ移行すると、出力電圧Ｖｏｕｔを負電圧から正電圧へ切り替えることを指示する。逆に、極性切替信号Ｓ２０の「Ｌ」から「Ｈ」へ移行すると、出力電圧Ｖｏｕｔを正電圧から負電圧へ切り替えることを指示する。極性切替信号Ｓ２０は、制御部４０によって転写バイアス電源２７に送信される。
【００３８】
［転写バイアス電源２７の回路構成］
次に、転写バイアス電源２７の回路構成を説明する。
まず、負電圧生成部２００について説明する。
（アナログ変換回路２０１）
制御部４０は、負電圧生成部２００が出力する負電圧（転写バイアス）の値を設定するパルス幅変調（ＰＷＭ）されたリモート信号Ｓ１０を送信する。すると、アナログ変換回路２０１は、リモート信号Ｓ１０を受信し、平滑化して直流に変換し、設定信号Ｓ１１として出力する。
図３に示したように、アナログ変換回路２０１は、抵抗Ｒ１とコンデンサＣ１とを備えている。そして、抵抗Ｒ１の一方の端子およびコンデンサＣ１の一方の端子は接続され、入力端子および出力端子となっている。抵抗Ｒ１の他方の端子およびコンデンサＣ１の他方の端子は接地（ＧＮＤ）されている。
【００３９】
アナログ変換回路２０１は、制御部４０から受信したパルス幅変調（ＰＷＭ）されたリモート信号Ｓ１０をコンデンサＣ１が蓄積することで、平滑化して直流電圧の設定信号Ｓ１１に変換する。このとき、設定信号Ｓ１１の電圧は、リモート信号Ｓ１０のデューティ比に比例して設定される。すなわち、リモート信号Ｓ１０のデューティ比が大きいと、小さい場合に比べ、コンデンサＣ１の一方の端子の電圧が高くなって、設定信号Ｓ１１の電圧が大きくなる。一方、リモート信号Ｓ１０のデューティ比が小さいと、大きい場合に比べ、コンデンサＣ１の一方の端子の電圧が低くなって、設定信号Ｓ１１の電圧が小さくなる。
抵抗Ｒ１は、コンデンサＣ１の充放電の時定数を設定する。
【００４０】
なお、リモート信号Ｓ１０をＰＷＭされた信号（ＰＷＭ信号）としないでアナログ信号とした場合、制御部４０から転写バイアス電源２７まで信号が送信される間に、ノイズなどの影響を受けてアナログ信号の電圧が変動するおそれがある。よって、リモート信号Ｓ１０をＰＷＭ信号とし、ノイズの影響を抑制している。
なお、ノイズの影響を抑制することを要しない場合には、リモート信号Ｓ１０をアナログ信号とし、アナログ変換回路２０１を省略してもよい。
【００４１】
（制御回路２０２）
制御回路２０２は、負電圧生成部２００が出力する負電圧と、設定信号Ｓ１１で設定された値とのずれを小さくするようにフィードバック制御する。なお、負電圧生成部２００は他励式のスイッチング電源であって、制御回路２０２に発振器ＯＳＣを内蔵する。
ここでは、発振器ＯＳＣは、三角波を出力するとして説明するが、鋸歯状波など、ＰＷＭ信号を生成することができる信号を出力してもよい。
【００４２】
制御回路２０２は、三角波または鋸歯状波を発振する発振器ＯＳＣ、比較器Ｃｍｐ１、Ｃｍｐ２、誤差増幅器Ａｍｐ１、Ａｍｐ２、ｎｐｎトランジスタＴｒ１、論理積回路ＡＮＤ、ダイオードＤ１、Ｄ２を備えている。
発振器ＯＳＣの出力と、比較器Ｃｍｐ１の非反転入力端子（以下では＋入力端子と表記する。）および比較器Ｃｍｐ２の＋入力端子と、が接続されている。
比較器Ｃｍｐ１の反転入力端子（以下では−入力端子と表記する。）は、ダイオードＤ１を介して誤差増幅器Ａｍｐ１の出力端子およびダイオードＤ２を介して誤差増幅器Ａｍｐ２の出力端子に接続されている。そして、比較器Ｃｍｐ１の−入力端子はフィードバック制御（ＦＥＥＤ−ＢＡＣＫ）端子に接続されている。ＦＥＥＤ−ＢＡＣＫ端子は切替回路２４０に接続されている。
【００４３】
比較器Ｃｍｐ２の−入力端子はデットタイム制御（ＤＴＣ）端子に接続されている。ＤＴＣ端子は、ＤＴＣ回路２３０に接続されている。
比較器Ｃｍｐ１の出力端子および比較器Ｃｍｐ２の出力端子は、２入力の論理積回路ＡＮＤのそれぞれの入力端子に接続されている。
そして、論理積回路ＡＮＤの出力端子は、ｎｐｎトランジスタＴｒ１のベース端子に接続されている。
ｎｐｎトランジスタＴｒ１のエミッタ端子は、駆動回路２０３に接続されている。ｎｐｎトランジスタＴｒ１のコレクタ端子は電源電圧Ｖｃｃ（例えば２４Ｖ）に接続されている。
【００４４】
誤差増幅器Ａｍｐ１の＋入力端子は、アナログ変換回路２０１に接続され、設定信号Ｓ１１を受信する。一方、誤差増幅器Ａｍｐ１の−入力端子は、出力電圧検知回路２０６に接続されている。
誤差増幅器Ａｍｐ２の＋入力端子には、基準電圧Ｖｒｅｆ１が供給されている。一方、−入力端子は、出力電流検知回路２０７に接続されている。
【００４５】
誤差増幅器Ａｍｐ１は、設定信号Ｓ１１と、出力電圧検知回路２０６が検知した出力電圧Ｖｏｕｔに比例する信号Ｓ４１とを比較し、その差を増幅した出力信号Ｓ１２を出力する。
誤差増幅器Ａｍｐ２は、基準電圧Ｖｒｅｆ１と、出力電流検知回路２０７が検知した出力電圧Ｖｏｕｔより給電ロール２６を介して流れる電流に比例する信号Ｓ５１とを比較し、その差を増幅した出力信号Ｓ４２を出力する。
【００４６】
比較器Ｃｍｐ１の＋入力端子には、発振器ＯＳＣの出力する三角波Ｓ０が入力される。
比較器Ｃｍｐ１の−入力端子は、誤差増幅器Ａｍｐ１の出力信号Ｓ１２、誤差増幅器Ａｍｐ２の出力信号Ｓ４２、切替回路２４０の出力信号Ｓ２１が入力される。
誤差増幅器Ａｍｐ１と比較器Ｃｍｐ１の−入力端子との間にはダイオードＤ１が設けられ、誤差増幅器Ａｍｐ２と比較器Ｃｍｐ１の−入力端子との間にはダイオードＤ２が設けられている。そして、切替回路２４０の誤差増幅器Ａｍｐ３と比較器Ｃｍｐ１の−入力端子との間にはダイオードＤ３が設けられている。ダイオードＤ１、Ｄ２、Ｄ３はいずれもカソード端子が比較器Ｃｍｐ１の−入力端子に接続されている。
よって、比較器Ｃｍｐ１の−入力端子は、誤差増幅器Ａｍｐ１の出力信号Ｓ１２、誤差増幅器Ａｍｐ２の出力信号Ｓ４２、切替回路２４０の出力信号Ｓ２１のいずれか電圧が最も高い信号を選択して受信する。
なお、以下の説明では、ダイオードＤ１、Ｄ２、Ｄ３による電圧降下を無視する。
よって、比較器Ｃｍｐ１は、発振器ＯＳＣが出力する三角波Ｓ０と、−入力端子が受信する信号とを比較し、三角波Ｓ０が−入力端子が受信する信号より大きい場合に、ハイレベル（「Ｈ」と表記する。）に、小さい場合にローレベル（「Ｌ」と表記する。）となるＰＷＭ変調された出力信号Ｓ１３を出力する。
【００４７】
比較器Ｃｍｐ２の＋入力端子には、発振器ＯＳＣが出力する三角波Ｓ０が入力される。
比較器Ｃｍｐ２の−入力端子は、ＤＴＣ回路２３０が出力する出力信号Ｓ３１が入力される。
よって、比較器Ｃｍｐ１は、発振器ＯＳＣの出力する三角波Ｓ０と、ＤＴＣ回路２３０の出力信号Ｓ３１とを比較し、三角波Ｓ０が出力信号Ｓ３１より大きい場合に「Ｈ」に、小さい場合に「Ｌ」となるＰＷＭ変調された出力信号Ｓ３２を出力する。
【００４８】
論理積回路ＡＮＤは、比較器Ｃｍｐ１の出力信号Ｓ１３と比較器Ｃｍｐ２の出力信号Ｓ３２との論理積（ＡＮＤ）演算を行い、出力信号Ｓ１４を出力する。後述するように、出力信号Ｓ１４もＰＷＭ変調された信号である。
そして、出力信号Ｓ１４によって、ｎｐｎトランジスタＴｒ１がオンオフすることで、制御回路２０２は、電源電圧Ｖｃｃ（２４Ｖ）と接地（ＧＮＤ）との間の振幅を有するＰＷＭ変調された出力信号Ｓ１５を出力する。
【００４９】
なお、比較器Ｃｍｐ１、Ｃｍｐ２、誤差増幅器Ａｍｐ１、Ａｍｐ２、論理積回路ＡＮＤについては、後述する転写バイアス電源２７の動作の説明において、さらに詳述する。
【００５０】
（駆動回路２０３）
駆動回路２０３は、制御回路２０２からの出力信号Ｓ１５を受信し、スイッチ素子（後述する電界効果トランジスタＦＥＴ１）をスイッチング（オンオフ）させることで、トランス２０４の一次巻線（後述する一次巻線Ｔ１ａ）に流れる電流を制御する。
【００５１】
駆動回路２０３は、抵抗Ｒ１０、Ｒ１１、電界効果トランジスタＦＥＴ１を備えている。
抵抗Ｒ１０の一方の端子は、制御回路２０２のｎｐｎトランジスタＴｒ１のエミッタ端子に接続されている。抵抗Ｒ１０の他方の端子は、抵抗Ｒ１１の一方の端子に接続されるとともに、電界効果トランジスタＦＥＴ１のゲート端子に接続されている。抵抗Ｒ１１の他方の端子は接地（ＧＮＤ）されている。
電界効果トランジスタＦＥＴ１のソース端子は接地（ＧＮＤ）されている。電界効果トランジスタＦＥＴ１のドレイン端子は、トランス２０４に接続されている。
【００５２】
制御回路２０２のｎｐｎトランジスタＴｒ１がオンであると、電界効果トランジスタＦＥＴ１は、ゲート端子がｎｐｎトランジスタＴｒ１および抵抗Ｒ１０を介して電源電圧Ｖｃｃ（２４Ｖ）になって、オンになる。一方、制御回路２０２のｎｐｎトランジスタＴｒ１がオフであると、電界効果トランジスタＦＥＴ１は、ゲート端子が抵抗Ｒ１１を介して接地（ＧＮＤ）になって、オフになる。
すなわち、駆動回路２０３の電界効果トランジスタＦＥＴ１は、制御回路２０２のｎｐｎトランジスタＴｒ１のオンオフに追従して、スイッチング（オンオフ）する。
【００５３】
（トランス２０４）
トランス２０４は、一次巻線Ｔ１ａと二次巻線Ｔ２ａとを備え、一次巻線Ｔ１ａに流れる電流により二次巻線Ｔ２ａに電流を誘起する。
一次巻線Ｔ１ａの一方の端子には、電源電圧Ｖｃｃ（２４Ｖ）が供給される。一次巻線Ｔ１ａの他方の端子は、駆動回路２０３の電界効果トランジスタＦＥＴ１のドレイン端子に接続されている。
二次巻線Ｔ２ａは、整流回路２０５に接続されている。
【００５４】
駆動回路２０３の電界効果トランジスタＦＥＴ１がオンすると、電源電圧Ｖｃｃと接地との間に、一次巻線Ｔ１ａおよび電界効果トランジスタＦＥＴ１を介して電流が流れる。一次巻線Ｔ１ａに電流が流れることにより、一次巻線Ｔ１ａと二次巻線Ｔ２ａとの巻線比に応じた電圧が二次巻線Ｔ２ａに誘起される。
【００５５】
（整流回路２０５）
整流回路２０５は、トランス２０４の二次巻線Ｔ２ａに誘起された電流を整流し、負電圧（転写バイアス）を発生する。
整流回路２０５は、ダイオードＤ４、コンデンサＣ３、抵抗Ｒ１２を備えている。
ダイオードＤ４のカソード端子は、二次巻線Ｔ２ａの一方の端子に接続されている。ダイオードＤ４のアノード端子は、並列接続されたコンデンサＣ３および抵抗Ｒ１２のそれぞれの一方の端子に接続されるとともに、給電ロール２６に接続されている。並列接続されたコンデンサＣ３および抵抗Ｒ１２のそれぞれの他方の端子は、二次巻線Ｔ２ａの他方の端子に接続されている。
【００５６】
トランス２０４の二次巻線Ｔ２ａに誘起された電流の内、ダイオードＤ４に流れる電流により、コンデンサＣ３が充電され負電圧（転写バイアス）が生成される。
【００５７】
（出力電圧検知回路２０６）
出力電圧検知回路２０６は、出力電圧Ｖｏｕｔの値を検知し、出力電圧Ｖｏｕｔに比例した電圧の信号Ｓ４１を出力する。
出力電圧検知回路２０６は、誤差増幅器Ａｍｐ４、抵抗Ｒ１４、Ｒ１５で構成されている。抵抗Ｒ１４および抵抗Ｒ１５は直列接続され、抵抗Ｒ１４の抵抗Ｒ１５と接続されていない端子は、給電ロール２６に接続されている。抵抗Ｒ１５の抵抗Ｒ１４と接続されていない端子は、基準電圧Ｖｒｅｆ２（例えば５Ｖ）を介して、接地されている。
誤差増幅器Ａｍｐ４の＋入力端子は、抵抗Ｒ１４と抵抗Ｒ１５との接続点に接続され、−入力端子は、出力端子に接続されている。誤差増幅器Ａｍｐ４の出力端子（信号Ｓ４１）は、制御回路２０２の誤差増幅器Ａｍｐ１の−入力端子に接続されている。
誤差増幅器Ａｍｐ４は、抵抗Ｒ１４と抵抗Ｒ１５とで分圧された出力電圧Ｖｏｕｔを検知して、出力電圧Ｖｏｕｔに比例した電圧の信号Ｓ４１を出力する。
なお、基準電圧Ｖｒｅｆ２は、誤差増幅器Ａｍｐ４および後述する誤差増幅器Ａｍｐ５の＋入力端子の電圧が負になることを抑制するバイアス電圧である。
【００５８】
（出力電流検知回路２０７）
出力電流検知回路２０７は、給電ロール２６に印加された出力電圧Ｖｏｕｔにより、給電ロール２６から、中間転写ベルト１５、用紙Ｐ、バックアップロール２５、二次転写ロール２２を介して接地（ＧＮＤ）に流れる電流を検知し、電流に比例した信号Ｓ５１を出力する。
出力電流検知回路２０７は、誤差増幅器Ａｍｐ５、抵抗Ｒ１６を備えている。誤差増幅器Ａｍｐ５の＋入力端子は、出力電圧検知回路２０６の抵抗Ｒ１５と基準電圧Ｖｒｅｆ２との接続点に接続されている。誤差増幅器Ａｍｐ５の−入力端子は、後述する正電圧生成部２１０の整流回路２１４に接続されるとともに、抵抗Ｒ１６を介して誤差増幅器Ａｍｐ５の出力端子に接続されている。そして、誤差増幅器Ａｍｐ５の出力端子（信号Ｓ５１）は、制御回路２０２の誤差増幅器Ａｍｐ２の−入力端子に接続されている。
【００５９】
次に、正電圧生成部２１０について説明する。ここでは、正電圧生成部２１０は、自励式のスイッチング電源である。
（制御回路２１１）
制御回路２１１は、極性切替信号Ｓ２０が「Ｈ」から「Ｌ」に移行することで、起動され、駆動回路２１２のスイッチ素子である電界効果トランジスタＦＥＴ２をオンにする電圧を生成して出力する。
【００６０】
（駆動回路２１２）
駆動回路２１２は、電界効果トランジスタＦＥＴ２を備えている。電界効果トランジスタＦＥＴ２のゲート端子は、制御回路２１１に接続されている。電界効果トランジスタＦＥＴ２のソース端子は接地され、ドレイン端子はトランス２１３に接続されている。
【００６１】
（トランス２１３）
トランス２１３は、一次巻線Ｔ１ｂと二次巻線Ｔ２ｂとを備えている。一次巻線Ｔ１ｂの一方の端子には、電源電圧Ｖｃｃが供給される。一次巻線Ｔ１ｂの他方の端子は、駆動回路２１２の電界効果トランジスタＦＥＴ２のドレイン端子に接続されている。
二次巻線Ｔ２ｂは、整流回路２０５に接続されている。
【００６２】
（整流回路２１４）
整流回路２１４は、二次巻線Ｔ２ｂに誘起された電流を整流して正電圧（非転写バイアス）を発生する。
整流回路２１４は、ダイオードＤ５、コンデンサＣ４、抵抗Ｒ１３を備えている。
ダイオードＤ５のアノード端子は、二次巻線Ｔ２ｂの一方の端子に接続されている。ダイオードＤ５のカソード端子は、並列接続されたコンデンサＣ４および抵抗Ｒ１３のそれぞれの一方の端子に接続されている。並列接続されたコンデンサＣ４および抵抗Ｒ１３のそれぞれの他方の端子は、二次巻線Ｔ２ｂの他方の端子に接続されている。これは、負電圧生成部２００の整流回路２０５におけるダイオードＤ４の電流の流れる向きを逆にした構成となっている。これにより、正電圧が発生するようになっている。
そして、並列接続されたコンデンサＣ４および抵抗Ｒ１３のそれぞれの一方の端子は、負電圧生成部２００の整流回路２０５の並列接続されたコンデンサＣ３および抵抗Ｒ１２のそれぞれの他方の端子に接続されている。
また、並列接続されたコンデンサＣ４および抵抗Ｒ１３のそれぞれの他方の端子は、出力電流検知回路２０７の誤差増幅器Ａｍｐ５の−入力端子に接続されている。
【００６３】
駆動回路２１２の電界効果トランジスタＦＥＴ２がオンすると、電源電圧Ｖｃｃ（２４Ｖ）と接地（ＧＮＤ）との間に、一次巻線Ｔ１ｂおよび電界効果トランジスタＦＥＴ２を介して電流が流れる。一次巻線Ｔ１ｂに電流が流れると、二次巻線Ｔ２ｂに電圧が誘起される。しかし、この電圧は、ダイオードＤ５に電流を流す向きと逆であるので、電流が流れない。
この間、電界効果トランジスタＦＥＴ２に流れる電流は増加するが、電界効果トランジスタＦＥＴ２に流すことのできる電流に限界があるため、限界以上に電流が流れない。すると、一次巻線Ｔ１ｂに電流を流そうとする電圧が誘起されることで、電界効果トランジスタＦＥＴ２のドレイン電圧が低下し、電界効果トランジスタＦＥＴ２がオフする。このとき、一次巻線Ｔ１ｂに誘起された電圧により、二次巻線Ｔ２ｂにダイオードＤ５に電流が流れる向きの電圧が誘起される。これにより、正電圧が生成される。
【００６４】
（出力Ｏｎ／Ｏｆｆ判定回路２２０）
出力Ｏｎ／Ｏｆｆ判定回路２２０は、リモート信号Ｓ１０の変化を検知し、ＤＴＣ回路２３０を制御する出力信号Ｓ３０を出力する。
出力Ｏｎ／Ｏｆｆ判定回路２２０は、ＰＷＭ信号であるリモート信号Ｓ１０が出力されている期間において「Ｈ」、リモート信号Ｓ１０が出力されていない期間（「Ｌ」に維持されている期間）において「Ｌ」を出力する。
そして、出力Ｏｎ／Ｏｆｆ判定回路２２０の出力信号Ｓ３０は、ＤＴＣ回路２３０に接続されている。
【００６５】
出力Ｏｎ／Ｏｆｆ判定回路２２０は、後述するＤＴＣ回路２３０を駆動して、負電圧（転写バイアス）が急激に給電ロール２６に印加されないようにする。よって、負電圧を設定するリモート信号Ｓ１０を検知して、出力信号Ｓ３０を出力するようにしている。
なお、極性切替信号Ｓ２０を用いて出力Ｏｎ／Ｏｆｆ判定回路２２０を制御してもよい。
【００６６】
このような機能を有する出力Ｏｎ／Ｏｆｆ判定回路２２０は、アナログ変換回路２０１と同様に、ＰＷＭ信号をアナログ電圧に変換して、アナログ信号の電圧を検出することで行うことができる。
【００６７】
（ＤＴＣ回路２３０）
転写バイアス電源２７の出力電圧Ｖｏｕｔが正電圧（非転写バイアス）から負電圧（転写バイアス）に切り替わとき、ＤＴＣ回路２３０は、出力電圧Ｖｏｕｔが正電圧から負電圧に緩やかに変化するように制御する出力信号Ｓ３１を出力する。
【００６８】
ＤＴＣ回路２３０は、ｎｐｎトランジスタＴｒ２、抵抗Ｒ２、Ｒ３、Ｒ４、コンデンサＣ２を備えている。
抵抗Ｒ２、Ｒ３、Ｒ４は直列接続されている。そして、抵抗Ｒ３に接続されていない抵抗Ｒ２の端子には電源電圧Ｖｃｃが供給され、抵抗Ｒ３に接続されていない抵抗Ｒ４の端子は接地（ＧＮＤ）されている。
ｎｐｎトランジスタＴｒ２のベース端子は、出力Ｏｎ／Ｏｆｆ判定回路２２０に接続されている。ｎｐｎトランジスタＴｒ２のエミッタ端子は接地されている。ｎｐｎトランジスタＴｒ２のコレクタ端子は、抵抗Ｒ２と抵抗Ｒ３との接続点に接続されている。
コンデンサＣ２の一方の端子は、ＤＴＣ回路２３０の出力端子であって、ＤＴＣ端子を介して制御回路２０２の比較器Ｃｍｐ２の−入力端子に接続されている。
【００６９】
出力Ｏｎ／Ｏｆｆ判定回路２２０の出力端子が「Ｌ」であると、ｎｐｎトランジスタＴｒ２がオフとなって、コンデンサＣ２は、電源電圧Ｖｃｃから抵抗Ｒ２、Ｒ３を介して充電される。そして、コンデンサＣ２の一方の端子の電圧（ＤＴＣ回路２３０の出力信号Ｓ３１）は、電源電圧Ｖｃｃが直列に接続された抵抗Ｒ２、Ｒ３、Ｒ４によって分圧された電圧、例えば４．５Ｖ以上の電圧（ここでは説明を簡単にするため５Ｖとする。）になるとする。
【００７０】
出力Ｏｎ／Ｏｆｆ判定回路２２０の出力端子が「Ｌ」から「Ｈ」に移行すると、ｎｐｎトランジスタＴｒ２がターンオンして、コンデンサＣ２に蓄積されていた電荷は、抵抗Ｒ３およびｎｐｎトランジスタＴｒ２を介するとともに、抵抗Ｒ４を介して、接地（ＧＮＤ）に流れる。これにより、コンデンサＣ２の一方の端子の電圧（ＤＴＣ回路２３０の出力信号Ｓ３１）は、例えば０．７Ｖ以下の電圧（ここでは説明を簡単にするために０Ｖとする。）になるとする。
なお、コンデンサＣ２の容量により、コンデンサＣ２の一方の端子の電圧（ＤＴＣ回路２３０の出力信号Ｓ３１）が、５Ｖから０Ｖに下がる時間を設定することができる。
【００７１】
後述するように、ＤＴＣ回路２３０は、出力Ｏｎ／Ｏｆｆ判定回路２２０がリモート信号Ｓ１０がＰＷＭ信号になったと判定すると、制御回路２０２の動作を開始させる。
【００７２】
（切替回路２４０）
制御部４０は、転写バイアス電源２７の出力電圧Ｖｏｕｔの極性を切り替える極性切替信号Ｓ２０を送信する。切替回路２４０は、極性切替信号Ｓ２０を受信し、転写バイアス電源２７の出力電圧Ｖｏｕｔが負電圧から正電圧に切り替わる場合に、制御回路２０２の動作を停止させるように働く出力信号Ｓ２１を生成して出力する。
【００７３】
切替回路２４０は、ｎｐｎトランジスタＴｒ３、Ｔｒ４、誤差増幅器Ａｍｐ３、抵抗Ｒ５、Ｒ６、Ｒ７、Ｒ８、Ｒ９、ダイオードＤ３を備えている。
ｎｐｎトランジスタＴｒ３のベース端子は、極性切替信号Ｓ２０を受信する。ｎｐｎトランジスタＴｒ３のエミッタ端子は接地（ＧＮＤ）されている。ｎｐｎトランジスタＴｒ３のコレクタ端子は、抵抗Ｒ５を介して電源電圧Ｖｃｃ（２４Ｖ）に接続されるとともに、抵抗Ｒ６を介してｎｐｎトランジスタＴｒ４のベース端子に接続されている。抵抗Ｒ７、Ｒ８、Ｒ９は、直列に接続され、抵抗Ｒ７の抵抗Ｒ８に接続されていない端子には、電源電圧Ｖｄｄ（例えば５Ｖ）が供給されている。抵抗Ｒ９の抵抗Ｒ８に接続されていない端子は接地されている。
そして、ｎｐｎトランジスタＴｒ４のエミッタ端子は抵抗Ｒ８と抵抗Ｒ９との接続点に接続されるとともに、誤差増幅器Ａｍｐ３の＋入力端子に接続されている。ｎｐｎトランジスタＴｒ４のコレクタ端子は抵抗Ｒ７と抵抗Ｒ８との接続点に接続されている。
誤差増幅器Ａｍｐ３の−入力端子は、誤差増幅器Ａｍｐ３の出力端子と接続されている。誤差増幅器Ａｍｐ３の出力端子は、ダイオードＤ３のアノード端子に接続されている。ダイオードＤ３のカソード端子は、ＦＥＥＤ−ＢＡＣＫ端子を介して、制御回路２０２における比較器Ｃｍｐ１の−入力端子に接続されている。
ここで、出力信号Ｓ２１は、誤差増幅器Ａｍｐ３の出力信号とする。
【００７４】
極性切替信号Ｓ２０が「Ｌ」であると、ｎｐｎトランジスタＴｒ３のベース端子が０Ｖとなり、ｎｐｎトランジスタＴｒ３はオフである。ｎｐｎトランジスタＴｒ４のベース端子は抵抗Ｒ５および抵抗Ｒ６を介して電源電圧Ｖｃｃ（２４Ｖ）に接続されているので、ｎｐｎトランジスタＴｒ４がオンになる。すると、オンになったｎｐｎトランジスタＴｒ４により、抵抗Ｒ８が短絡され、誤差増幅器Ａｍｐ３の＋入力端子の電圧は、電源電圧Ｖｄｄが抵抗Ｒ７と抵抗Ｒ９とで分圧された電圧になる。これにより、誤差増幅器Ａｍｐ３の出力端子（出力信号Ｓ２１）は、例えば４．５Ｖ以上になる。以下では、極性切替信号Ｓ２０が「Ｌ」の場合、出力信号Ｓ２１は５Ｖになるとして説明する。
【００７５】
一方、極性切替信号Ｓ２０が「Ｈ」であると、ｎｐｎトランジスタＴｒ３のエミッタ端子−ベース端子間が順バイアスになって、ｎｐｎトランジスタＴｒ３がオンする。すると、ｎｐｎトランジスタＴｒ３によりｎｐｎトランジスタＴｒ４のベース端子が、接地（ＧＮＤ）に引き込まれ、ｎｐｎトランジスタＴｒ４は、エミッタ端子−ベース端子間が逆バイアスになって、オフになる。すると、誤差増幅器Ａｍｐ３の＋入力端子の電圧は、抵抗Ｒ７、Ｒ８、Ｒ９で分圧された電圧となる。これにより、誤差増幅器Ａｍｐ３の出力端子（出力信号Ｓ２１）の電圧は、例えば０．７Ｖ以下になる。以下では、極性切替信号Ｓ２０が「Ｈ」の場合、出力信号Ｓ２１は０Ｖになるとして説明する。
【００７６】
以上説明したように、誤差増幅器Ａｍｐ３の出力端子（出力信号Ｓ２１）は、極性切替信号Ｓ２０が「Ｌ」の場合に５Ｖとなり、極性切替信号Ｓ２０が「Ｈ」の場合に０Ｖとなる。
【００７７】
なお、図３に示す転写バイアス電源２７の回路構成は一例であって、等価回路を示している。よって、他の回路や部品を備えて構成してもよい。
また、制御回路２０２は、電界効果トランジスタＦＥＴ１をオン／オフするものであればよく、他の構成であってもよく、他の回路をさらに備えていてもよい。そして、制御回路２０２は、スイッチ素子（本実施の形態では、電界効果トランジスタＦＥＴ１）をスイッチングすることで交流または直流の電圧を発生させるスイッチング電源を制御する集積回路（ＩＣ）として構成されていてもよい。
さらに、図３では、正電圧生成部２１０を自励式のスイッチング電源とした。正電圧生成部２１０を、負電圧生成部２００と同様の他励式のスイッチング電源としてもよい。
【００７８】
［転写バイアス電源２７の動作］
次に、転写バイアス電源２７の動作を説明する。
図４は、転写バイアス電源２７の動作を説明するタイミングチャートである。図４では、極性切替信号Ｓ２０、切替回路２４０の出力信号Ｓ２１（図４では切替回路出力信号Ｓ２１と表記する。）、リモート信号Ｓ１０、比較器Ｃｍｐ１の入力信号（Ｃｍｐ１入力信号）、比較器Ｃｍｐ１の出力信号Ｓ１３（Ｃｍｐ１出力信号Ｓ１３）、ＤＴＣ回路２３０の出力信号Ｓ３１（ＤＴＣ回路２３０出力信号Ｓ３１）、比較器Ｃｍｐ２の入力信号（Ｃｍｐ２入力信号）、論理積回路ＡＮＤの出力信号Ｓ１４（ＡＮＤ出力信号Ｓ１４）、出力電圧Ｖｏｕｔを示している。
【００７９】
また、リモート信号Ｓ１０で設定される出力電圧Ｖｏｕｔと実際に出力されている出力電圧Ｖｏｕｔとの差が小さいとして、誤差増幅器Ａｍｐ１の−入力端子が受信する出力電圧検知回路２０６からの信号Ｓ４１を無視する。そして、誤差増幅器Ａｍｐ１の出力信号Ｓ１２は、＋入力端子の設定信号Ｓ１１によって設定されるとする。よって、出力信号Ｓ１２（Ｓ１１）と表記する。図４では、リモート信号Ｓ１０に、出力信号Ｓ１２（Ｓ１１）を破線で示している。
また、給電ロール２６には過電流がないとして、出力電流検知回路２０７からの信号Ｓ５１を無視する。
よって、比較器Ｃｍｐ１の−入力端子に入力される信号は、誤差増幅器Ａｍｐ１の出力信号Ｓ１２（Ｓ１１）、切替回路２４０の出力信号Ｓ２１のいずれか電圧が高い信号である（図４では、（Ｓ１２  ＯＲ  Ｓ２１）と表記する。）。
また、比較器Ｃｍｐ２の入力信号（Ｃｍｐ２入力信号）は、＋入力端子に入力される発振器ＯＳＣの三角波Ｓ０および−入力端子に入力されるＤＴＣ回路２３０の出力信号Ｓ３１である。
【００８０】
図４では、アルファベット順（ａ、ｂ、ｃ、…）に時間が経過するとする。
そして、図４では、出力電圧Ｖｏｕｔを、時刻ｃにおいて正電圧から負電圧に切り替え、さらに時刻ｈにおいて負電圧から正電圧に切り替える場合を示している。すなわち、出力電圧Ｖｏｕｔとして、時刻ａから時刻ｃまでは正電圧、時刻ｃから時刻ｈまでは負電圧、そして時刻ｈから時刻ｌまでは正電圧が出力されるとする。
【００８１】
ここで、発振器ＯＳＣは、出力電圧Ｖｏｕｔの極性に関わらず常に三角波Ｓ０を出力している。すなわち、図４において、三角波Ｓ０は、時刻ａから時刻ｂまでの期間を１周期とし、この期間における波形を繰り返して出力する。
そして、発振器ＯＳＣが発振する三角波Ｓ０は、一例として０Ｖと３Ｖとの間の振幅で発振するとする。三角波Ｓ０の波高値は３Ｖであるとする。
【００８２】
以下では、図３を参照しつつ、図４のタイミングチャートにしたがって、転写バイアス電源２７の動作を説明する。
ここでは、一例として「Ｈ」を５Ｖ、「Ｌ」を０Ｖとする。
【００８３】
出力電圧Ｖｏｕｔの極性は、制御部４０からの極性切替信号Ｓ２０によって制御される。前述したように、出力電圧Ｖｏｕｔは、極性切替信号Ｓ２０が「Ｌ」の場合、正電圧の非転写バイアス（例えば１ｋＶ）、極性切替信号Ｓ２０が「Ｈ」の場合、負電圧の転写バイアス（例えば−５ｋＶ）となる。
【００８４】
まず、時刻ａから時刻ｃの期間において、極性切替信号Ｓ２０が「Ｌ」であって、出力電圧Ｖｏｕｔが正電圧である場合を説明する。このとき、切替回路２４０のｎｐｎトランジスタＴｒ３はオフ、ｎｐｎトランジスタＴｒ４はオンであって、切替回路２４０の誤差増幅器Ａｍｐ３の出力信号Ｓ２１は５Ｖである。
また、時刻ａから時刻ｃの期間では、出力電圧Ｖｏｕｔが正電圧であるので、リモート信号Ｓ１０は「Ｌ」である。よって、アナログ変換回路２０１の設定信号Ｓ１１は０Ｖ、誤差増幅器Ａｍｐ１の出力信号Ｓ１２は０Ｖである。
【００８５】
すると、比較器Ｃｍｐ１の−入力端子は、誤差増幅器Ａｍｐ１の出力信号Ｓ１２（０Ｖ）と切替回路２４０の出力信号Ｓ２１（５Ｖ）とで電圧が高い切替回路２４０の出力信号Ｓ２１となる。５Ｖは発振器ＯＳＣの生成する三角波Ｓ０の波高値（３Ｖ）より高い。よって、比較器Ｃｍｐ１の出力信号Ｓ１３は、「Ｌ」となる。
【００８６】
さて、時刻ａから時刻ｃの期間では、リモート信号Ｓ１０は「Ｌ」である。このとき、出力Ｏｎ／Ｏｆｆ判定回路２２０の出力信号Ｓ３０は０Ｖである。このため、ＤＴＣ回路２３０の出力信号Ｓ３１は５Ｖである。５Ｖは、三角波Ｓ０の波高値（３Ｖ）より大きいので、比較器Ｃｍｐ２の出力信号Ｓ３２は、「Ｌ」である。
【００８７】
よって、比較器Ｃｍｐ１の出力信号Ｓ１３と比較器Ｃｍｐ２の出力信号Ｓ３２とがともに「Ｌ」であるので、論理積回路ＡＮＤの出力信号Ｓ１４は「Ｌ」（０Ｖ）である。よって、ｎｐｎトランジスタＴｒ１はオフである。すなわち、時刻ａから時刻ｃの期間において、負電圧生成部２００は、負電圧を生成しない。
一方、正電圧生成部２１０は、正電圧を生成しているので、出力電圧Ｖｏｕｔは正電圧である。
【００８８】
次に、時刻ｃにおいて、制御部４０は極性切替信号Ｓ２０を「Ｌ」から「Ｈ」に移行させる。それに並行して、制御部４０は、リモート信号Ｓ１０としてＰＷＭ信号を生成して出力する。
極性切替信号Ｓ２０が「Ｌ」から「Ｈ」に移行すると、前述したように、切替回路２４０において、ｎｐｎトランジスタＴｒ３がオフからオンに、ｎｐｎトランジスタＴｒ４がオンからオフに移行することで、誤差増幅器Ａｍｐ３の出力信号Ｓ２１は、０Ｖになる。
【００８９】
一方、アナログ変換回路２０１は、リモート信号Ｓ１０としてＰＷＭ信号を受信すると、リモート信号Ｓ１０におけるＰＭＷ信号のデューティ比に対応した直流電圧の設定信号Ｓ１１を生成する。
【００９０】
図４では、リモート信号Ｓ１０は、時刻ｃから時刻ｇまでの期間において、デューティ比が５０％、時刻ｇから時刻ｈまでの期間において、デューティ比が３５％であるとして示している。なお、時刻ｈは、出力電圧Ｖｏｕｔを、負電圧から正電圧に切り替えるために、極性切替信号Ｓ２０が「Ｈ」から「Ｌ」に移行する時刻である。
よって、図４のリモート信号Ｓ１０において示すように、出力信号Ｓ１２（Ｓ１１）は、時刻ｃから時刻ｇまでの期間の方が、時刻ｇから時刻ｈまでの期間に比べて、電圧が大きくなる（１．４倍）。
【００９１】
なお、極性切替信号Ｓ２０が「Ｈ」から「Ｌ」に切り替わった時刻ｈ以降の時刻ｊまで、リモート信号Ｓ１０がＰＷＭ信号の状態で継続している。これは、極性切替信号Ｓ２０が「Ｈ」から「Ｌ」に切り替わった時刻ｈから遅れた時刻ｊにおいて、制御部４０がリモート信号Ｓ１０のＰＷＭ信号の送信を停止した場合を示している。これについては、後述する。
【００９２】
時刻ｃから時刻ｇまでの期間において、アナログ変換回路２０１の設定信号Ｓ１１は、リモート信号Ｓ１０であるＰＷＭ信号のデューティ比により、三角波Ｓ０の波高値（３Ｖ）の５０％の１．５Ｖとなるとする。そして、誤差増幅器Ａｍｐ１の出力信号Ｓ１２も１．５Ｖになるとする。
切替回路２４０の出力信号Ｓ２１は、極性切替信号Ｓ２０が「Ｌ」から「Ｈ」に移行する時刻ｃから時刻ｄまでの期間において、５Ｖから０Ｖに移行する。そして、時刻ｈまで０Ｖを維持する。
【００９３】
よって、時刻ｃから時刻ｇまでの期間において、比較器Ｃｍｐ１の−入力端子は、誤差増幅器Ａｍｐ１の出力信号Ｓ１２と切替回路２４０の出力信号Ｓ２１とにおいて電圧の高い方である１．５Ｖとなる。
すると、時刻ｃから時刻ｇまでの期間において、比較器Ｃｍｐ１は、＋入力端子の三角波Ｓ０の電圧と−入力端子の誤差増幅器Ａｍｐ１の出力信号Ｓ１２とを比較し、三角波Ｓ０の電圧が出力信号Ｓ１２より大きい場合に「Ｈ」を、小さい場合に「Ｌ」となるＰＷＭ信号を出力する。
【００９４】
なお、時刻ｇから時刻ｈまでの期間において、アナログ変換回路２０１の設定信号Ｓ１１は、リモート信号Ｓ１０のデューティ比により、三角波Ｓ０の波高値（３Ｖ）の３５％の１Ｖになるとする。そして、誤差増幅器Ａｍｐ１の出力信号Ｓ１２も１Ｖになるとする。すると、比較器Ｃｍｐ１の出力信号Ｓ１３は、時刻ｃから時刻ｇまでの期間における出力信号Ｓ１３に比べ、デューティ比が大きいＰＷＭ信号となる。
【００９５】
さて、時刻ｃにおいて、リモート信号Ｓ１０がＰＷＭ信号となると、出力Ｏｎ／Ｏｆｆ判定回路２２０は、出力信号Ｓ３０を「Ｌ」から「Ｈ」に移行させる。すると、ＤＴＣ回路２３０の出力信号Ｓ３１は、図４に示す時刻ｃにおける５Ｖから０Ｖに向かって下がっていく。図４では、三角波Ｓ０の４周期（時刻ｃから時刻ｆまでの期間）において下がっていくとしているが、予め定められた期間において下がるように、コンデンサＣ２、抵抗Ｒ３、Ｒ４などを設定すればよい。
【００９６】
すると、図４において、発振器ＯＳＣの三角波Ｓ０とＤＴＣ回路の出力信号Ｓ３１とを重ねて示した比較器Ｃｍｐ２の入力信号（Ｃｍｐ２入力信号）から分かるように、比較器Ｃｍｐ２の出力信号Ｓ３２は、時刻ｃから時刻ｆまでの期間において、三角波Ｓ０の電圧がＤＴＣ回路２３０の出力信号Ｓ３１の電圧より大きい場合に「Ｈ」となり、小さい場合に「Ｌ」となるＰＷＭ信号となる。
なお、時刻ｆから時刻ｇまでの期間においては、ＤＴＣ回路２３０の出力信号Ｓ３１は０Ｖであるので、比較器Ｃｍｐ２の出力信号Ｓ３２は「Ｈ」である。
すなわち、比較器Ｃｍｐ２の出力信号Ｓ３２は、ＤＴＣ回路２３０の出力信号Ｓ３１の電圧が、５Ｖから０Ｖに移行する時刻ｃから時刻ｆまでの期間において、徐々にデューティ比が大きくなるＰＷＭ信号となる。
【００９７】
論理積回路ＡＮＤの出力信号Ｓ１４は、比較器Ｃｍｐ１の出力信号Ｓ１３と比較器Ｃｍｐ２の出力信号Ｓ３２との論理積である。図４に示す例では、時刻ｃから時刻ｅまでの期間では、比較器Ｃｍｐ２の出力信号Ｓ３２のデューティ比が、比較器Ｃｍｐ１の出力信号Ｓ１３のデューティ比より小さい。よって、時刻ｃから時刻ｅまでの期間における論理積回路ＡＮＤの出力信号Ｓ１４は、比較器Ｃｍｐ２の出力信号Ｓ３２となる。一方、時刻ｅから時刻ｆまでの期間では、比較器Ｃｍｐ２の出力信号Ｓ３２のデューティ比が、比較器Ｃｍｐ１の出力信号Ｓ１３のデューティ比より大きい。よって、時刻ｅから時刻ｆまでの期間における論理積回路ＡＮＤの出力信号Ｓ１４は、比較器Ｃｍｐ１の出力信号Ｓ１３となる。
そして、時刻ｆから時刻ｈまでの期間において、論理積回路ＡＮＤの出力信号Ｓ１４は、比較器Ｃｍｐ１の出力信号Ｓ１３となる。
すなわち、時刻ｃから時刻ｈまでの期間において、論理積回路ＡＮＤの出力信号Ｓ１４はＰＷＭ信号である。
【００９８】
そして、論理積回路ＡＮＤの出力信号Ｓ１４により、ｎｐｎトランジスタＴｒ１がスイッチング（オンオフ）され、さらに駆動回路２０３の電界効果トランジスタＦＥＴ１がスイッチング（オンオフ）されることで整流回路２０５に負電圧が生成され、出力電圧Ｖｏｕｔとなる。
【００９９】
よって、時刻ｃから時刻ｆまでの期間では、出力電圧Ｖｏｕｔは正電圧から負電圧に徐々に変化するように制御される。すなわち、デットタイム制御される。
そして、時刻ｆから時刻ｇまでの期間では、デューティ比が５０％のリモート信号Ｓ１０により出力電圧Ｖｏｕｔが設定される。時刻ｇから時刻ｈまでの期間では、デューティ比が３５％のリモート信号Ｓ１０により出力電圧Ｖｏｕｔが設定される。
なお、リモート信号Ｓ１０と論理積回路ＡＮＤの出力信号Ｓ１４とはデューティ比が逆になるので、リモート信号Ｓ１０のデューティ比が大きい時刻ｆから時刻ｇまでの期間における出力電圧Ｖｏｕｔは、リモート信号Ｓ１０のデューティ比が小さい時刻ｇから時刻ｈまでの期間における出力電圧Ｖｏｕｔより絶対値が小さい負電圧となる。
【０１００】
次に、時刻ｈにおいて、極性切替信号Ｓ２０が「Ｈ」から「Ｌ」に切り替わる。
すると、切替回路２４０の出力信号Ｓ２１は、時刻ｈから時刻ｉの間に０Ｖから５Ｖに変化する。
【０１０１】
一方、時刻ｈにおいて、極性切替信号Ｓ２０が「Ｈ」から「Ｌ」に切り替わっても、リモート信号Ｓ１０においてＰＷＭ信号が停止されず、時刻ｊまでＰＭＷ信号が送信されていたとする。時刻ｊにおいて、リモート信号Ｓ１０が「Ｌ」になるとする。
すると、時刻ｈから時刻ｊまでの期間における誤差増幅器Ａｍｐ１の出力信号Ｓ１２は１Ｖが維持される。
【０１０２】
ここで、比較器Ｃｍｐ１の−入力端子は、誤差増幅器Ａｍｐ１の出力信号Ｓ１２および切替回路２４０の出力信号Ｓ２１のいずれか電圧の高い方に設定される。よって、比較器Ｃｍｐ１の−入力端子は、時刻ｈから時刻ｉまでの期間において、１Ｖから５Ｖに増加し、その後時刻ｌまで５Ｖを維持する。５Ｖは三角波Ｓ０の波高値（３Ｖ）より大きいので、比較器Ｃｍｐ１の出力信号Ｓ１３は、時刻ｈから時刻ｌまでの期間において、「Ｌ」となる。
【０１０３】
一方、出力Ｏｎ／Ｏｆｆ判定回路２２０の出力信号Ｓ３０は、リモート信号Ｓ１０がＰＷＭ信号から「Ｌ」になる時刻ｊにおいて、「Ｈ」から「Ｌ」に移行する。これにより、ＤＴＣ回路２３０の出力信号Ｓ３１は、図４に示す時刻ｊから時刻ｋまでの期間において、０Ｖから５Ｖに向かって上がっていく。
すると、比較器Ｃｍｐ２の出力信号Ｓ３２は、時刻ｊから時刻ｋまでの期間において、デューティ比が徐々に小さくなるＰＷＭ信号となる。
なお、時刻ｊから時刻ｋまでの期間は、ＤＴＣ回路２３０のｎｐｎトランジスタＴｒ２がオンからオフに移行し、コンデンサＣ２が抵抗Ｒ２および抵抗Ｒ３を介して充電される期間である。よって、ＤＴＣ回路２３０の出力信号Ｓ３１が０Ｖから５Ｖに変化する期間（図４における時刻ｊから時刻ｋまでの期間）は、コンデンサＣ２の容量、抵抗Ｒ２、Ｒ３の抵抗値などによって決められる。
【０１０４】
しかし、論理積回路ＡＮＤの出力信号Ｓ１４は、比較器Ｃｍｐ１の出力信号Ｓ１３と比較器Ｃｍｐ２の出力信号Ｓ３２との論理積であるので、時刻ｈ以降においては、「Ｌ」である比較器Ｃｍｐ１の出力信号Ｓ１３となる。
すなわち、本実施の形態では、極性切替信号Ｓ２０を「Ｈ」から「Ｌ」に移行した時刻ｈの後において、リモート信号Ｓ１０が「Ｌ」にならずＰＷＭ信号が継続的に出力されていても、負電圧が出力され続けるが抑制される。
【０１０５】
ここでは、デットタイム制御するために、ＤＴＣ回路２３０の出力信号Ｓ３１に対する時定数（図３におけるコンデンサＣ２などによって決まる時定数）は、切替回路２４０の出力信号Ｓ２１に対する時定数より、大きく設定されている。
これにより、出力電圧Ｖｏｕｔを正電圧から負電圧への切り替える場合に、デットタイム制御を行うとともに、負電圧から正電圧への切り替えるときの切り替え時間を短く（抑制）している。
【０１０６】
ここで、本実施の形態を用いない転写バイアス電源２７について説明する。
図５は、本実施の形態を用いない転写バイアス電源２７の回路ブロックおよび回路構成を説明する図である。
本実施の形態では、図３に示したように、切替回路２４０の出力信号Ｓ２１は、ＦＥＥＤ−ＢＡＣＫ端子を介して、比較器Ｃｍｐ１の−入力端子に供給されていた。これに対し、図５に示すように、本実施の形態を用いない転写バイアス電源２７では、切替回路２４０の出力信号Ｓ２１は、ＤＴＣ端子を介して、比較器Ｃｍｐ２の−入力端子に供給されている。すなわち、比較器Ｃｍｐ２の−入力端子は、ＤＴＣ回路２３０の出力信号Ｓ３１と切替回路２４０の出力信号Ｓ２１とが入力される構成となっている（図６では、（Ｓ３１  ＯＲ  Ｓ２１）と表記する。）。
このため、出力信号Ｓ３１は、切替回路２４０の出力信号Ｓ２１の影響を受けるが、出力信号Ｓ３１に対する容量（図５におけるコンデンサＣ２）が大きいので、出力信号Ｓ３１は出力信号Ｓ２１の影響を受けにくい。
【０１０７】
なお、図５において、ＤＴＣ回路２３０の出力端子（コンデンサＣ２の一方の端子）をダイオードを介することなく比較器Ｃｍｐ２の−入力端子に接続しているが、切替回路２４０の出力信号Ｓ２１の影響を抑制するために、ダイオードを設けてもよい。
他の構成は、図２に示した本実施の形態と同じであるので説明を省略する。
【０１０８】
図６は、本実施の形態を用いない転写バイアス電源２７の動作を説明するタイミングチャートである。図６で示す信号は、図４に示した信号と同じである。また、時刻ａ、時刻ｂ、時刻ｃ、…も図４と同じとした。
以下では、図４と異なる部分を説明し、同様な部分の説明を省略する。
【０１０９】
本実施の形態を用いない場合には、図５に示したように、比較器Ｃｍｐ１の−入力端子には、誤差増幅器Ａｍｐ１の出力信号Ｓ１２が入力される（図６におけるＣｍｐ１入力信号参照）。
また、比較器Ｃｍｐ２の−入力端子には、ＤＴＣ回路２３０の出力信号Ｓ３１と切替回路２４０の出力信号Ｓ２１が入力される。しかし、コンデンサＣ２の容量が大きいので、出力信号Ｓ３１は出力信号Ｓ２１の影響を受けにくい（図６におけるＣｍｐ２入力信号参照）。
【０１１０】
以上のことから、時刻ａから時刻ｈまでの期間は、本実施の形態の場合と同様となるので、説明を省略する。以下では、時刻ｈ以降について説明する。
【０１１１】
時刻ｈから時刻ｊまでの期間において、リモート信号Ｓ１０がＰＷＭ信号を継続している。よって、比較器Ｃｍｐ１の出力信号Ｓ１３は、時刻ｃから時刻ｊまで、リモート信号Ｓ１０に対応したＰＷＭ信号となる。
【０１１２】
また、比較器Ｃｍｐ２の−入力端子には、ＤＴＣ回路２３０の出力信号Ｓ３１と切替回路２４０の出力信号Ｓ２１とが入力される。前述したように、ＤＴＣ回路２３０の出力信号Ｓ３１に対する容量（コンデンサＣ２）が大きい。よって、出力信号Ｓ２１が時刻ｈから時刻ｉの期間において０Ｖから５Ｖに移行しても、容量の大きなコンデンサＣ２を充電することが必要となって、比較器Ｃｍｐ２の−入力端子を０Ｖから５Ｖに移行するのに時間がかかる。図６では、比較器Ｃｍｐ２の−入力端子が０Ｖから５Ｖに移行するのに、時刻ｈから時刻ｋまでかかるとしている（図６のＣｍｐ２入力信号における（Ｓ３１  ＯＲ  Ｓ２１）参照）。
【０１１３】
このため、比較器Ｃｍｐ２の出力信号Ｓ３２は、時刻ｈから時刻ｋの期間において、デューティ比が徐々に小さくなるＰＷＭ信号となる。
すると、比較器Ｃｍｐ２の出力信号Ｓ３２と比較器Ｃｍｐ１の出力信号Ｓ１３との論理積である論理積回路ＡＮＤの出力信号Ｓ１４は、時刻ｈから時刻ｋまでの期間においても、ＰＷＭ信号を発生する。
これにより、極性切替信号Ｓ２０が、「Ｈ」から「Ｌ」に移行した時刻ｈの後においても、負電圧生成部２００からの負電圧の生成が継続し、正電圧生成部２１０からの正電圧に切り替わるまでの切り替えに時間を要してしまう。
【０１１４】
図４と図６とを比較することから分かるように、本実施の形態である図４では、時刻ｈから時刻ｉまでの期間において、出力電圧Ｖｏｕｔの極性が負から正への切り替わるのに対して、本実施の形態を用いない図６では、時刻ｈから時刻ｋまでかかっている。
【０１１５】
すなわち、本実施の形態を用いない場合には、切替回路２４０の出力信号Ｓ２１を、デットタイム制御を行うために大きな容量（図４、６におけるコンデンサＣ２）が設けられた比較器Ｃｍｐ２の−入力端子に供給している。このため、制御回路２０２の動作を停止させて、負電圧の出力を停止するまでに時間を要することになる。
【０１１６】
前述したように、負電圧は例えば−５ｋＶであって、正電圧は例えば１ｋＶである。負電圧が正電圧より絶対値において大きいため、負電圧が出続けると、正電圧が例え出力されていても、負電圧を打ち消すことができない。このため、トナーの二次転写ロール２２への付着が抑制できず、二次転写ロール２２にトナーが付着してしまう。これにより、トナー像の転写不良や、二次転写ロール２２に付着したトナーによる用紙Ｐの汚れなどが生じてしまう。
【０１１７】
一方、本実施の形態では、切替回路２４０の出力信号Ｓ２１を、ＤＴＣ端子（比較器Ｃｍｐ２の−入力端子）ではなく、ＤＴＣ端子に比べ容量の小さいＦＥＥＤ−ＢＡＣＫ端子（比較器Ｃｍｐ１の−入力端子）に供給する。よって、本実施の形態を用いない場合に比べ、制御回路２０２の動作を停止させ、負電圧の出力を停止するまでの時間を短縮している。
【０１１８】
以上説明したように、本実施の形態では、出力電圧Ｖｏｕｔを、絶対値が小さい正電圧（例えば１ｋＶ）から絶対値が大きい負電圧（−５ｋＶ）に切り替える場合には、絶対値が大きな負電圧が急激に印加されないようデットタイム制御をして、容量（時定数：第１の時定数の一例）の大きい端子（ＤＴＣ端子）を介して信号を供給して負電圧生成部２００における制御回路２０２の動作を開始させ、負電圧が徐々に大きくなるように制御している。
一方、出力電圧Ｖｏｕｔを、絶対値が大きい負電圧（−５ｋＶ）から絶対値が小さい正電圧（１ｋＶ）に切り替える場合には、容量（時定数：第２の時定数の一例）の小さい端子（ＦＥＥＤ−ＢＡＣＫ端子）を介して信号を供給して、負電圧生成部２００における制御回路２０２の動作を停止させている。このことにより、負電圧生成部２００からの負電圧の出力が停止するまでの時間を短縮（抑制）している。
【０１１９】
このようにすることで、例え負電圧を設定するリモート信号Ｓ１０におけるＰＷＭ信号が、極性切替信号Ｓ２０が「Ｈ」から「Ｌ」へ移行する時刻（図４の時刻ｈ）の後において出力され続けたとしても、リモート信号Ｓ１０のＰＷＭ信号に影響されず、制御回路２０２を停止させうる。
【０１２０】
以上においては、リモート信号Ｓ１０のＰＷＭ信号が、極性切替信号Ｓ２０の「Ｈ」から「Ｌ」へ移行する時刻（図４の時刻ｈ）の後においても出力され続けるとして説明した。
しかし、リモート信号Ｓ１０が、極性切替信号Ｓ２０の「Ｈ」から「Ｌ」へ移行する時刻（図４の時刻ｈ）おいて、「Ｌ」になったとしても、残留電荷により設定信号Ｓ１１が直ちには０Ｖにならないことがありうる。このような場合には、極性切替信号Ｓ２０の「Ｈ」から「Ｌ」へ移行する時刻（図４の時刻ｈ）の後においても、比較器Ｃｍｐ１の出力信号Ｓ１３が、ＰＷＭ信号として出力され続ける。すなわち、リモート信号Ｓ１０におけるＰＷＭ信号が、極性切替信号Ｓ２０が「Ｈ」から「Ｌ」へ移行する時刻（図４の時刻ｈ）の後において出力され続けた場合と同様となる。
【０１２１】
本実施の形態では、正電圧生成部２１０は、自励式のスイッチング電源とした。しかし、正電圧生成部２１０も、負電圧生成部２００と同様に他励式のスイッチング電源とし、制御回路２０２と同様な制御回路によって制御してもよい。
この場合、出力電圧Ｖｏｕｔを正電圧から負電圧に切り替えるタイミングにおいて、正電圧生成部２１０における制御回路の動作を停止させる時間を抑制することで、正電圧から負電圧への切り替えの時間を抑制できる。
なお、負電圧は例えば−５ｋＶであって、正電圧は例えば１ｋＶであるので、負電圧が正電圧より絶対値において大きいため、正電圧から負電圧に移行するときは、正電圧を打ち消すことができる。よって、出力電圧Ｖｏｕｔを正電圧から負電圧に切り替えるタイミングにおいて、このような制御を行わなくともよい。
【０１２２】
さらに、本実施の形態では、転写バイアス電源２７は、二次転写部２０において転写バイアスを形成する電源として説明した。一次転写部１０における一次転写バイアスを生成する電源に、転写バイアス電源２７を適用してもよい。
【符号の説明】
【０１２３】
１…画像形成装置、２Ｙ、２Ｍ、２Ｃ、２Ｋ…画像形成ユニット、１０…一次転写部、１１…感光体ドラム、１２…帯電器、１３…レーザ露光器、１４…現像器、１５…中間転写ベルト、１６…一次転写ロール、１７…ドラムクリーナ、２０…二次転写部、２２…二次転写ロール、２５…バックアップロール、２６…給電ロール、２７…転写バイアス電源、４０…制御部、４３…画像濃度センサ、６０…定着部、２００…負電圧生成部、２０１…アナログ変換回路、２０２、２１１…制御回路、２０３、２１２…駆動回路、２０４、２１３…トランス、２０５、２１４…整流回路、２０６…出力電圧検知回路、２０７…出力電流検知回路、２１０…正電圧生成部、２２０…出力Ｏｎ／Ｏｆｆ判定回路、２３０…デットタイム制御（ＤＴＣ）回路、２４０…切替回路、ＡＮＤ…論理積回路、Ａｍｐ１、Ａｍｐ２、Ａｍｐ３、Ａｍｐ４、Ａｍｐ５…誤差増幅器、Ｃｍｐ１、Ｃｍｐ２…比較器、ＦＥＴ１、ＦＥＴ２…電界効果トランジスタ、ＯＳＣ…発振器、Ｓ０…三角波、Ｓ１０…リモート信号、Ｓ２０…極性切替信号
【図１】
2014016479.tif 000003
【図２】
2014016479.tif 000004
【図３】
2014016479.tif 000005
【図４】
2014016479.tif 000006
【図５】
2014016479.tif 000007
【図６】
2014016479.tif 000008